(57)【要約】【課題】互いに角度をもって隣接する２つの面を、容易に効率よく清掃できるようにした、清掃器具を提供する。【解決手段】ダスターホルダー１０４と、ダスターホルダー１０４に着脱可能に設置されたダスターと、ダスターホルダー１０４を支持する支持体１０５とを有する清掃器具において、ダスターホルダー１０４が、第１の清掃対象面にダスターを接触させるように支持する第１のダスター支持部１０１と、少なくとも使用時に第１のダスター支持部１０１と角度を有するように設定可能であって、第１の清掃対象面に対して角度を有する第２の清掃対象面にダスターを接触させるように支持する第２のダスター支持部１０２とを有するように構成することで、異なる角度を有する２つの清掃対象面それぞれを同時に清掃することが可能となる。【選択図】図１
2004201716.tif 000002
【特許請求の範囲】
【請求項１】
ダスターホルダーと、該ダスターホルダーに着脱可能に設置されたダスターと、該ダスターホルダーを支持する支持体とを有する清掃器具において、
該ダスターホルダーが、
第１の清掃対象面に該ダスターを接触させるように支持する第１のダスター支持部と、
少なくとも使用時に該第１のダスター支持部と角度を有するように設定可能であって、該第１の清掃対象面に対して角度を有する第２の清掃対象面に該ダスターを接触させるように支持する第２のダスター支持部とを有する
ことを特徴とする、清掃器具。
【請求項２】
該第１の清掃対象面は水平面であって、該ダスターホルダーの自重により、該第１のダスター支持部が該第１の清掃対象面に接触する
ことを特徴とする、請求項１記載の清掃器具。
【請求項３】
少なくとも使用時に該第１のダスター支持部と該第２のダスター支持部とのなす角が直角とされる
ことを特徴とする、請求項１又は２記載の清掃器具。
【請求項４】
該第２のダスター支持部が、該第１のダスター支持部に対する上記角度の方向に可動に設けられている
ことを特徴とする、請求項１〜３のいずれか１項に記載の清掃器具。
【請求項５】
該第２のダスター支持部が該第１のダスター支持部と同一平面上に位置する面一状態と、該第２のダスター支持部が該第１のダスター支持部と角度を有するように起立した起立状態とをとりうる
ことを特徴とする、請求項４記載の清掃器具。
【請求項６】
該第１のダスター支持部と該第２のダスター支持部とがなす角度を調整する角度調整手段が備えられている
ことを特徴とする、請求項４又は５記載の清掃器具。
【請求項７】
該第２のダスター支持部を該第１のダスター支持部に対して弾性的に支持する弾性支持体が備えられ、
該弾性支持体によって、該第２のダスター支持部の起立時に、該第２のダスター支持部に支持される該ダスターを該第２の清掃対象面に対して弾性的に押圧可能である
ことを特徴とする、請求項４〜６のいずれか１項に記載の清掃器具。
【請求項８】
該第２のダスター支持部が、該第１のダスター支持部の左右両端部に設けられている
ことを特徴とする、請求項１〜７のいずれか１項に記載の清掃器具。
【請求項９】
該第２のダスター支持部が、該第１のダスター支持部の前端部に設けられている
ことを特徴とする、請求項１〜７のいずれか１項に記載の清掃器具。
【請求項１０】
該第２のダスター支持部が伸縮自在に構成されている
ことを特徴とする、請求項１〜９のいずれか１項に記載の清掃器具。
【請求項１１】
該ダスターホルダーに、蒸気発生器に接続され、該第１，第２の清掃対象面の少なくともいずれかに蒸気を噴射する蒸気噴射ノズルが付設されている
ことを特徴とする、請求項１〜１０のいずれか1項に記載の清掃器具。
【請求項１２】
該蒸気噴射ノズルが、該ダスターホルダーに着脱可能に装備されている
ことを特徴とする、請求項１１記載の清掃器具。
【請求項１３】
該蒸気噴射ノズルが、清掃時に該ダスターホルダーの進行方向前方に蒸気を噴射するように配設されている
ことを特徴とする、請求項１１又は１２記載の清掃器具。
【請求項１４】
該支持体にキャスターが装備され、該蒸気発生器が該支持体に搭載されている
ことを特徴とする、請求項１１〜１３のいずれか１項に記載の清掃器具。
【請求項１５】
該蒸気噴射ノズルが、該第１，第２の清掃対象面の該蒸気が当たる箇所の位置を調整可能に設けられている
ことを特徴とする、請求項１１〜１４のいずれか１項に記載の清掃器具。
【請求項１６】
該第１の清掃対象面が床面であり、該第２の清掃対象面が壁の幅木の表面である
ことを特徴とする、請求項１〜１５のいずれか１項に記載の清掃器具。
【請求項１７】
該第１の清掃対象面が階段の踏み板の表面であり、該第２の清掃対象面が階段の蹴込みの表面である
ことを特徴とする、請求項１〜１６のいずれか１項に記載の清掃器具。
【発明の詳細な説明】
【０００１】
【発明の属する技術分野】
本発明は、建物の床面と幅木、又は階段の踏面と蹴込みのように、角度の異なる複数の面が近接する部位の清掃に用いて好適の、清掃器具に関する。
【０００２】
【従来の技術】
近年、衛生に対する意識が高まり、住居や職場における住宅環境や職場環境を清潔に保つことに役立つ清掃器具が数多く提供されている。
広く用いられている清掃器具の例を挙げると、柄の先端に設けたプレート状のヘッドに、汚れを拭き取るための布材であるダスターやモップ糸を装着したモップがある。このモップは、ダスターやモップ糸を清掃しようとする床面等に擦り付けることで清掃を行う清掃器具であり、取り扱いが容易であるために清掃対象を手軽に清掃することができるという利点をもつ。
【０００３】
上記のモップの他にも、柄付ブラシのように簡単な構成のものからポリッシャと呼ばれる回転式床磨き機のように高度な構成のものまで、様々な清掃器具が提供されている。これらの清掃器具は、住宅環境や職場環境を清潔に保つ上で非常に役立つものである。
【０００４】
しかし、これらの清掃器具の多くは床面のように平坦で比較的清掃しやすい箇所を清掃する目的で造られたものが多く、それ以外の箇所を清掃する場合には、多くの手間や労力を要することが多かった。
このような状況のなか、清掃し難い箇所を簡単に清掃するために、新たな清掃器具が提案されている。
【０００５】
たとえば、特許文献１には、ヘッドに屈曲折目部を設け、この屈曲折目部を介してヘッドを折り曲げ可能としたモップが開示されている。このモップは、ヘッドを折り曲げた場合にヘッドを側面方向から見ると山形状になるように構成されている。したがって、このヘッドの山形状の稜線部分を用いることで、隣り合う壁面が接合する隅角部位を容易に清掃できるようになっている。
【０００６】
また、特許文献２には、ヘッドを部分的に折曲することでヘッドの形を変えてヘッドの大きさを小さくすることができるようにしたモップが開示されている。このモップは、ヘッドを折曲しない状態では、広い面の清掃に適した床面モップとして使用し、ヘッドを折曲して変形させ小さくした状態では、家具間の隙間のような狭い部分や局面の清掃に適した小形のハンディモップとして使用することが可能である。
【０００７】
【特許文献１】
特開平７−２８９４９１号公報
【特許文献２】
特開平１０−２８６２０８号公報
【０００８】
【発明が解決しようとする課題】
ところで、建物の壁の床近くに壁の保護や装飾を目的として設置される幅木や、階段の踏み板と踏み板との間に鉛直方向に設けられた蹴込みは、通常ほぼ垂直に起立しており、しかも清掃し難い低位置に設けられるために、清掃に多くの労力を要するという課題があった。
【０００９】
上述のように、各種様々な清掃器具が提案されているが、上記の各種の清掃道具は、いずれも幅木や蹴込みのように、床面や踏み板に対して角度を持った部分を清掃するには適さず、このため、かかる箇所を容易に清掃する清掃器具の開発が要望されている。
【００１０】
本発明は、上述の課題に鑑み創案されたもので、互いに角度をもって隣接する２つの面を、容易に効率よく清掃できるようにした、清掃器具を提供することを目的とする。
【００１１】
【課題を解決するための手段】
このため請求項１記載の本発明の清掃器具は、ダスターホルダーと、該ダスターホルダーに着脱可能に設置されたダスターと、該ダスターホルダーを支持する支持体とを有する清掃器具において、該ダスターホルダーが、第１の清掃対象面に該ダスターを接触させるように支持する第１のダスター支持部と、少なくとも使用時に該第１のダスター支持部と角度を有するように設定可能であって、該第１の清掃対象面に対して角度を有する第２の清掃対象面に該ダスターを接触させるように支持する第２のダスター支持部とを有することを特徴とする。
【００１２】
さらに、該第１の清掃対象面を水平面とし、該ダスターホルダーの自重により、該第１のダスター支持部が該第１の清掃対象面に接触するように構成すれば、該第１の清掃対象面を確実に清掃することができる（請求項２）。
【００１３】
また、少なくとも使用時には該第１のダスター支持部と該第２のダスター支持部とのなす角が直角となるように構成すれば、第１の清掃対象面が第２の清掃対象面に対して垂直となっている場合に、確実に第１及び第２の清掃対象面を清掃することができる（請求項３）。
【００１４】
また、該第２のダスター支持部を、該第１のダスター支持部に対する上記角度方向に可動に設けることにより、使用時の自由度を高めることができる（請求項４）。
【００１５】
また、該第２のダスター支持部が該第１のダスター支持部と同一平面上に位置する面一状態と、該第２のダスター支持部が該第１のダスター支持部と角度を有するように起立した起立状態とをとりうるように構成してもよい（請求項５）。これにより、本発明の清掃器具によって第１の清掃対象面又は第２の清掃対象面のいずれか一方のみを清掃する場合には、該ダスターホルダーを面一状態として、効率よく清掃を行うことができる。
【００１６】
また、該第１のダスター支持部と該第２のダスター支持部とがなす角度を調整する角度調整手段を備えることにより、第１の清掃対象面と第２の清掃対象面とがなす角が異なる様々な場合に本発明の清掃器具を使用することができる（請求項６）。
【００１７】
また、該第２のダスター支持部を該第１のダスター支持部に対して弾性的に支持する弾性支持体を備え、該弾性支持体によって、該第２のダスター取付部の起立時に、該第２のダスター支持部に支持される該ダスターが該第２の清掃対象面に対して弾性的に押圧可能としてもよい（請求項７）。これにより、該第２の清掃対象面が完全な平面でなく凹凸がある面である場合でも、該第２の清掃対象面を確実に清掃することができる。
【００１８】
また、該第２のダスター支持部を、該第１のダスター支持部の左右両端部に設けたり（請求項８）、該第１のダスター支持部の前端部に設けたりしてもよい（請求項９）。これにより、第１の清掃対象面及び第２の清掃対象面をその形状に応じて適切に清掃することができる。
【００１９】
また、該第２のダスター支持部を伸縮自在に構成することにより、様々な大きさの第２の清掃対象面に対して本発明の清掃器具を使用することができる（請求項１０）。
また、該ダスターホルダーに蒸気発生器を接続し、該第１，第２の清掃対象面の少なくともいずれかに蒸気を噴射する蒸気噴射ノズルを付設することにより、蒸気を噴射した箇所の汚れを確実に落とすことができる（請求項１１）。
【００２０】
また、該蒸気噴射ノズルを、該ダスターホルダーに着脱可能に装備することにより、清掃時に蒸気を噴射する必要がない場合に蒸気噴射ノズルを取り外して清掃を行うことができる（請求項１２）。
また、該蒸気噴射ノズルを、清掃時に該ダスターホルダーの進行方向前方に蒸気が噴射されるように配設することにより、適切に清掃を行うことができる（請求項１３）。
【００２１】
また、該支持体にキャスターを装備し、該蒸気発生器を該支持体に搭載することにより、該蒸気発生器を運搬する労力を低減することができる（請求項１４）。
また、該蒸気発生ノズルを、該第１，第２の清掃対象面の該蒸気が当たる箇所の位置が調整可能となるように設けることにより、該第１，第２の清掃対象面の適切な位置に蒸気を噴射することができるようになり、確実に清掃を行うことが可能となる（請求項１５）。
【００２２】
また、該第１の清掃対象面を床面とし、該第２の清掃対象面を幅木の表面とすることにより、家屋などの屋内の床面と幅木の表面とを適切に清掃することができる（請求項１６）。
また、該第１の清掃対象面を階段の踏み板の表面とし、該第２の清掃対象面を階段の蹴込みの表面とすることで、階段の踏み板の表面と蹴込みの表面とを適切に清掃することができる（請求項１７）。
【００２３】
【発明の実施の形態】
以下、図面を参照して本発明の実施の形態を説明する。
［第１実施形態］
まず、本発明の第１実施形態としての清掃器具について説明する。
図１〜図５は、本発明の第１実施形態としての清掃器具を示すもので、図１はその模式的な斜視図、図２はその要部拡大図（図１のＡ部分拡大図）、図３はそのダスターを示す模式的な正面図、図４はその使用状態を示す模式的な斜視図、図５はその変形例を説明する模式的な斜視図である。
【００２４】
図１に示すように、第１のダスター支持部としての底プレート１０１の左右両端には、第２のダスター支持部としての立プレート１０２が蝶番１０３によって可動（回転可能）に設置されていて、これら底プレート１０１と立プレート１０２とからダスターホルダー１０４が構成されている。さらに、底プレート１０１の上側面の中央には、支持体としての柄１０５が柄取付ブラケット１０６によって取り付けられている。また、清掃器具の使用時には底プレート１０１と立プレート１０２とにダスター１０７が取り付けられる。
このような構成により、立プレート１０２と底プレート１０１とのなす角の角度を調整して、異なる角度を有する第１の清掃対象面と第２の清掃対象面とにダスター１０７を擦り付けて揩接させて両清掃対象面を同時に清掃をできるようになっているのである。
【００２５】
以下、詳細に説明する。
矩形に形成された第１のダスター支持部としての底プレート１０１の上側面の左右両端部には、蝶番１０３の一方のプレート部分が取り付けられている。蝶番１０３の他方のプレート部分は、第２のダスター支持部としての立プレート１０２の端部に取り付けられていて、このため立プレート１０２は蝶番１０３の連結部を介して底プレート１０１に対し可動（回転可能）となっている。
【００２６】
底プレート１０１と立プレート１０２との間には、立プレート１０２を底プレート１０１に対して適当な起立状態に固定するステー１０８が介設されている。ステー１０８は、基端部を立プレート１０２に設置されたステー取付ブラケット１０９に結合され、先端部を底プレート１０１に係止されるようになっている。つまり、先端には、ステー１０８と直角に配設された係止ピン部１１０が設けられ、底プレート１０１の上側面には、ステー１０８の係止ピン部１１０を係止するストッパー１１１が対をなして設置されている。ストッパー１１１は、底プレート１０１の横方向（左右方向）に延在し、複数の波形の係止溝１１１ａが備えられており、係止ピン部１１０がストッパー１１１のいずれの係止溝１１１ａに係止されるかによって、立プレート１０２の底プレート１０１に対する角度が調整されるようになっている。したがって、ステー１０８とストッパー１１０とが角度調整手段を構成することになる。
【００２７】
ステー取付ブラケット１０９は、ピン１０９ｂを備え、ステー１０８の基部はこのピン１０９ｂの弾性支持体としてのゴムブッシュ１０９ａを介して連結されている。ステー１０８はステー取付ブラケット１０９に回転可能に且つゴムブッシュ１０９ａを介して弾性的に支持されており、立プレート１０２はステー１０８を介して底プレート１０１に対し所定の角度に弾性的に支持されることとなる。
【００２８】
次に、ダスターホルダー１０４に取り付けられるダスター１０７について説明する。
ダスター１０７は、図２に示すように、底プレート１０１及び立プレート１０２の外側の面を全て覆うような寸法の矩形に形成されている。
ダスター１０７の長手方向端部から中心側に向けて、所定距離だけネット１１２が取り付けられている。このネット１１２は、ダスター１０７の中心側端部を開放したポケット状に形成されており、ポケット状の内部に立プレート１０２の端部を挿入させるようにして、ダスター１０７を底プレート１０１及び立プレート１０２に装着するようになっている。
【００２９】
底プレート１０１の上側面の中央には、柄取付ブラケット１０６が設置されていて、この柄取付ブラケット１０６は支持体である柄１０５と底プレート１０１とを連結している。
以下、図３を用いて柄取付ブラケット１０６について説明する。
図３に示すように、柄取付ブラケット１０６は剛体で形成され、前後方向から見て略Ｕ字型に形成され、Ｕ字型の底部を底プレート１０１に固設されている。さらに、取付具１０６のＵ字型を構成する２本の柱部１０６ａの間には、横方向に軸１１３が設けられている。
一方、柄１０５には貫通穴１０５ａが形成され、貫通穴１０５ａに軸１１３が貫通させられている。これにより柄１０５は柄取付ブラケット１０６及び底プレート１０１に対して、軸１１３を回転軸として回転可能に接続されている。
【００３０】
このように柄１０５が底プレート１０１及び柄取付ブラケット１０６に取り付けられているため、柄１０５は軸１１３回り（即ち、前後方向）にのみ回転可能で、左右方向には傾倒できないようになっている。これにより、柄１０５に対して底プレート１０１が左右にぐらつき難くなり、柄１０５を通じた底プレート１０１の操作性が良好なものになっている。
【００３１】
なお、清掃器具全体が軽量の場合には、柄取付ブラケット１０６をユニバーサルジョイントとして、柄１０５と底プレート１０１とを前後左右に傾倒可能とした方が、むしろ操作性が良くなる場合がある。
また、取付具１０６の柱部１０６ａと柄１０５との対向面を接触させるようにして、柄１０５の軸１１３回りの回転に一定のドラグを与えるようにしてもよい。これにより、柄１０５を底プレート１０１に対して前後に傾倒できるようにしながら、底プレート１０１のぐらつきを一層抑制することができる。
【００３２】
本発明の第１実施形態としての清掃器具は上述のように構成されているので、第１の清掃対象面と、第１の清掃対象面と角度を有する第２の清掃対象面とを同時に清掃することができる。
例えば家屋内の部屋の隅を清掃する場合には、図４に示すように、第１の清掃対象面を床面１１４とし、第２の清掃対象面を幅木の表面１１５として、床面１１４と幅木の表面１１５とを同時に清掃することができる。
【００３３】
このように床面１１４と幅木の表面１１５とを同時に清掃する場合には、まずダスターホルダー１０４を蝶番１０３の連結部を介して折り曲げ、立プレート１０２が底プレート１０１と角度を有するように起立した起立状態をとるようにする。底プレート１０１と立プレート１０２とがなす角度を調整するためには、係支ピン部１１０をストッパー１１１の適当な係止溝１１１ａに係止すればよい。即ち、ストッパー１１１は、左右方向に並んだ複数の係止溝１１１ａを備えるが、係止ピン部１１０を底プレート１０１より左右方向中央寄りの係止溝１１１ａに係止させれば、立プレート１０２と底プレート１０１とがなす角度が小さくなり、逆に係止ピン部１１０と底プレート１０１の短部寄りの係止溝１１１ａに係止させれば、立プレート１０２と底プレート１０１とのなす角は大きくなるのである。
【００３４】
底プレート１０１と立プレート１０２とがなす角度は、第１清掃対象面と第２清掃対象面とがなす角度に応じて決めればよいが、通常の家屋においては、床面１１４と幅木の表面１１５とは直角をなすため、底プレート１０１と立プレート１０２とがなす角度も直角となるように立プレート１０２を起立させることが好ましい。
こうして立プレート１０２を起立状態として、ダスター１０７の底プレート１０１に支持された部分を床面１１４に摺接させ、且つ、ダスター１０７の立プレート１０２に支持された部分を幅木の表面１１５に摺接させることで、床面と幅木とを同時に清掃することが可能となる。
【００３５】
また、立プレート１０２は弾性支持体であるゴムブッシュ１０９ａを介して底プレート１０１に支持されているので、立プレート１０２に支持されたダスター１０７は幅木の表面１１５に弾性的に押圧されることになる。したがって、床面１１４と幅木の表面１１５とがなす角度が正確に直角でない場合や、幅木に多少の凹凸がある場合でも、ダスター１０７を確実に幅木に接触させることが可能となる。
【００３６】
さらに、この清掃器具を用いて床面のみを清掃する場合には、立プレート１０２を、底プレート１０１と立プレート１０２とが同一平面状となる面一状態とすることが好ましい。具体的には、係止ピン部１１０をストッパー１１１から外し、立プレート１０２を底プレート１０１に対して平行になるように倒すことが好ましい。
【００３７】
なおこの際、立プレート１０２が底プレート１０１と平行になるような係止部分をストッパー１１１に形成して、係止ピン部１１０を前記係止部分に係止し立プレート１０２を面一状態に保持するようにしてもよいが、立プレート１０２の自重によって自然と立プレート１０２が底プレート１０１と平行となり、立プレート１０２が面一状態となるようにしてもよい。
こうして立プレート１０２を面一状態とすることで、立プレート１０２が起立状態である場合よりもさらに広い面積の第１清掃対象面、すなわち床面１１４を清掃することが可能となる。
【００３８】
また、上述のように立プレート１０２は蝶番１０３の連結部を介して可動となっているが、ダスター１０７はネット１１２によって立プレート１０２に確実に保持されているため、立プレート１０２を動かしてもダスター１０７が立プレート１０２から外れてしまうことはない。
以上のように、本発明の清掃器具を用いることで、異なる角度を有する面を同時に、しかも容易に清掃することが可能となるのである。
【００３９】
以上、本発明の第１実施形態としての清掃器具を説明したが、本実施形態は種々変形して実施してもよい。
たとえば、本実施形態ではダスター１０７をダスターホルダー１０４に係止させて固定したが、この方法に限らず、任意の方法でダスター１０７をダスターホルダー１０４に固定すればよい。
【００４０】
具体例としては、図５に示すように、面ファスナを用いてダスター１０７をダスターホルダー１０４に固定してもよい。
つまり、ダスターホルダー１０４の底プレート１０１の底面及び立プレート１０２の底面には、面ファスナ１１６ａが設置されている。一方、ダスター１０７の一面には、面ファスナ１１６ａに対応する面ファスナ１１６ｂが設けられている。この面ファスナ１１６ａと面ファスナ１１６ｂとを接触させることで、ダスター１０７がダスターホルダー１０４に固定されるのである。
この面ファスナ１１６ａ、１１６ｂを用いた方法によれば、ダスター１０７をダスターホルダー１０４に簡単に取り付けることができる。
【００４１】
また、負圧を利用してダスター１０７をダスターホルダー１０４に固定してもよい。
つまり、ダスター１０７を、負圧吸引効果が高い厚手の布材で形成する。一方、ダスターホルダー１０４の内部には複数のトンネルを形成し、各トンネルはすべて、ダスターホルダー１０４に取り付けられたホースを介してポンプと連通され、トンネル内が大気圧よりも低い負圧に調整されるようにする。また、このトンネルは底プレート１０１及び立プレート１０２に延設されており、底プレート１０１及び立プレート１０２においてダスター１０７と接触する部位に開口するように微細孔を複数形成する。なお、各トンネルは、ホースとの連結部および微細孔以外ではダスターホルダー１０４の外部につながっていない。
このような構成において、底プレート１０１及び立プレート１０２にダスター１０７を接触させてポンプでトンネル内の空気を引くと、トンネル内の気圧が外気よりも低くなり、ダスター１０７はダスターホルダー１０４に固定される。
この負圧を利用した方法によっても、ダスター１０７をダスターホルダー１０４に簡単に取り付けることができる。
【００４２】
ところで、階段の蹴込みは、通常は、踏み板を広くするために蹴込みの表面と踏み板の表面とが形成する角度が直角よりも小さくなるように形成されている。本実施形態においては底プレート１０１と立プレート１０２とは略直角を成すように形成したが、このような場合には、底プレート１０１と立プレート１０２とがなす角度は、各清掃対象面、即ち、蹴込みの表面と踏み板の表面との角度に対応するように設定することが好ましい。
つまり、清掃しようとする壁面や蹴込みの表面などの清掃対象面にダスター１０７が密接できるように、第２の清掃対象面と第２のダスター支持部とが平行となるように形成することが好ましいのである。
また、ダスターホルダー１０４をパイプや棒材等による骨組みを用いて構成してもよい。
【００４３】
［第２実施形態］
次に、本発明の第２実施形態としての清掃器具について説明する。
図６は、本発明の第２実施形態を模式的に示す斜視図である。
本発明の第２実施形態としての清掃器具は、その基本構成は第１実施形態としての清掃器具と共通しており、底プレート１０１と、底プレート１０１と角度を有して備えられた立プレート１０２とによりダスター１０７を支持し、ダスター１０７によって互いに角度を有する第１及び第２の清掃対象面を清掃するように構成されている。特に、本願の第２実施形態としての清掃器具では、第１実施形態としての清掃器具に蒸気噴射ノズル１１７，１１８を付設し、且つ、立プレート１０２が伸縮自在となるように構成し、その上、立プレート１０２を底プレート１０１に対して固定した構成となっている。
【００４４】
以下、詳細に説明する。
立プレート１０２は底プレート１０１に対して接着され、固定されている。
また、立プレート１０２は下部立プレート１１９と上部立プレート１２０とから形成されている。下部立プレート１１９は底プレート１０１の左右両端に接着されており、したがって、立プレート１０２が底プレート１０１に対して固定されることとなる。
下部立プレート１１９には、表裏を貫通するねじ穴１１９ａが形成されており、一方、下部立プレート１１９に接するよう取り付けられた上部立プレート１２０には鉛直方向に延在して形成された長ねじ穴１２０ａが形成されていて、ネジ穴１１９ａと長ねじ穴１２０ａとを貫通するネジ１２１を用いて上部立プレート１２０は下部立プレート１１９に対して鉛直方向位置を変更可能に固定される。したがって、立プレート１０２は鉛直方向に伸縮自在とされるのである。
また、上部立プレート１２０の前後方向両端部には、上部立プレート１２０を下部立プレート１１９に対して係止する係止部１２０ｂが形成されていて、このため上部立プレート１２０は下部立プレート１１９に対し前後方向に固定されている。
【００４５】
底プレート１０１の上側面前端部には、蒸気噴射ノズル１１７が付設されている。蒸気噴射ノズル１１７には前方下向きに蒸気噴射口１１７ａが形成されていて、さらにホース１２２を介して蒸気発生器としてのボイラ１２３に接続されている。したがって、本清掃器具の使用時には、ボイラ１２３で発生した蒸気がホース１２２を通って蒸気噴射ノズル１１７に供給され、蒸気噴射口１１７ａから第１の清掃対象面に噴射される。なおここでは、蒸気噴射ノズル１１７は、両端を塞がれたパイプに、軸方向に一列の蒸気噴射口１１７ａを形成したものであり、支柱１１７ｂによって底プレート１０１に付設されている。
【００４６】
また底プレート１０１と同様に、下部立プレート１１９の内側前端部には、上記噴射ノズル１１８が付設されている。蒸気噴射ノズル１１８には前方外向きに蒸気噴射口１１８ａが形成されていて、さらにホース１２２を介して蒸気発生器としてのボイラ１２３に接続されている。したがって、本清掃器具の使用時には、ボイラ１２３で発生した蒸気がホース１２２を通って蒸気噴射ノズル１１８に供給され、蒸気噴射口１１８ａから第１の清掃対象面に噴射される。
【００４７】
蒸気噴射ノズル１１８は、蒸気噴射ノズル１１７と同様に、両端を塞がれたパイプに、軸方向に１列の蒸気噴射口１１８ａを形成したものであり、支柱１１８ｂによって下部立プレート１１９に付設されている。さらに蒸気噴射ノズル１１８においては、鉛直方向上部数箇所にバルブ１１８ｃが設けられていて、蒸気噴射ノズル１１８とホース１２２とはバルブ１１８ｃよりも鉛直方向下方で接続されている。したがって、バルブ１１８ｃを閉めるとバルブ１１８ｃよりも鉛直方向上方に形成された蒸気噴射口１１８ａからは蒸気が噴射されることはなく、逆に、バルブ１１８ｃを開けるとバルブ１１８ｃよりも鉛直方向上方に形成された蒸気噴射口１１８ａから蒸気が噴射される。このため、蒸気噴射ノズル１１８を立プレート１０２以上の長さに形成しておけば、立プレート１０２の伸縮に応じて蒸気を噴射する蒸気噴射口１１８ａの位置を調整することができる。
【００４８】
なお、ホース１２２はボイラ１２３から各蒸気噴射ノズル１１７，１１８までの間に、ボイラ１２３から供給される蒸気を各蒸気噴射ノズル１１７，１１８全てに送るため枝分かれした分岐部１２２ａを形成されている。さらに、ホース１２２は分岐部１２２ａで柄１０５に固定されているので、ホース１２２を簡単に扱うことができる。
【００４９】
本発明の第２実施形態としての清掃器具は上述のように構成されているので、清掃時には、蒸気噴射ノズル１１７から第１の清掃対象面に向けて蒸気を噴射しながら、且つ、蒸気噴射口１１８から第２の清掃対象面に向けて蒸気を噴射しながら清掃を行うことができる。これにより、蒸気を噴射された箇所の汚れをより簡単に落とすことが可能となる。
また、立プレート１０２が伸縮自在に構成されているので、第２の清掃対象面の高さに応じて立プレート１０２の高さを調節することが可能となり、より効率よく清掃を行うことができる。さらに立プレート１０２の伸縮に応じて蒸気を噴射する位置を調整することができるので、立プレート１０２に装着されたダスター１０７が清掃しようとする箇所に適切に蒸気を噴射することが可能となる。
【００５０】
以上、本発明の第２実施形態としての清掃器具を説明したが、本実施形態は種々変形して実施してもよい。
たとえば、本実施形態では立プレート１０２を底プレート１０１に接着により固定したが、ネジ止めや溶接など、他の方法により固定してもよい。さらに、１枚のプレートを所要の箇所で折り曲げることにより、１枚のプレートから底プレートと立プレートとを形成してもよい。
【００５１】
また、立プレート１０２を底プレート１０１に対して固定せず、第１実施形態のように、底プレート１０１と立プレート１０２との接続箇所を回転軸として可動に構成してもよい。その際、底プレート１０１と立プレート１０２との角度を調節する角度調節手段を設置したり、立プレート１０２を底プレート１０１に対して弾性的に支持する弾性支持体を設置したりしてもよい。
また、蒸気噴射ノズル１１７，１１８をそれぞれ底プレート１０１及び立プレート１０２に対して着脱可能に付設してもよい。
【００５２】
［第３実施形態］
次に、本発明の第３実施形態について説明する。
図７は、本発明の第３実施形態としての清掃器具を表す概要図である。
本発明の第３実施形態としての清掃器具は、その基本構成は第２実施形態としての清掃器具と共通しており、第１の清掃対象面と、第１の清掃対象面に対し角度を有する第２の清掃対象面とに蒸気を噴射しながら第１及び第２の清掃対象面を同時に清掃できるよう構成されている。特に本願の第３実施形態としての清掃器具では、第２実施形態としての清掃器具に、柄１０５の代わりにキャスター付きの台車１２４が支持体として設置され、台車１２４にボイラ１２３が載せられた構成となっている。また、本実施形態においては立プレート１０２は伸縮せず、また、蒸気噴射ノズル１１８は蒸気が当たる箇所の位置が一定となる構成となっている。
【００５３】
本発明の第３実施形態としての清掃器具は上述のように形成されているので、清掃時には、蒸気噴射ノズル１１７から第１の清掃対象面に蒸気を噴射しながら、且つ、蒸気噴射ノズル１１８から第２の清掃対象面に蒸気を噴射しながら清掃を行うことができる。このとき、ボイラ１２３が台車１２４に乗せられているため、ボイラ１２３もダスターホルダー１０４とともに移動することができるので、清掃器具を移動させる労力を低減することができる。
【００５４】
［第４実施形態］
次に、本発明の第４実施形態について説明する。
図８は本発明の第４実施形態としての清掃器具を表す概要図、図９は本発明の第４実施形態の変形例を示す概要図である。
本発明の第３実施形態としての清掃器具は、その基本構成は第２実施形態としての清掃器具と共通しており、第１の清掃対象面と、第１の清掃対象面に対し角度を有する第２の清掃対象面とに蒸気を噴射しながら第１及び第２の清掃対象面を同時に清掃できるよう構成されている。特に、本願の第４実施形態としての清掃器具においては、立プレート１０２が底プレート１０１の前端部に備えられている。また、柄１０５は左右方向に可動となるように備えられており、各蒸気噴射ノズル１１７，１１８は、それぞれ底プレート１０１の左右方向一端と立プレート１０２の左右方向一端とに付設されている。なお、本実施形態においては立プレート１０２は伸縮せず、また、蒸気噴射ノズル１１８は蒸気が当たる箇所の位置が一定となる構成となっている。
【００５５】
本発明の第４実施形態としての清掃器具は上述のように構成されているので、階段を容易に清掃することができる。即ち、第１の清掃対象面を階段の踏み板の表面とし、第２の清掃対象面を階段の蹴込みの表面とすることで、踏み板の表面と蹴込みの表面とを同時に清掃することができるのである。
また、階段の踏み板の奥行きと底プレート１０１の前後方向の長さとを同一に形成し、さらに、階段の蹴込みの高さと立プレート１０２の高さとを同一に形成すれば、確実に踏み板の表面と蹴込みの表面とを同時に清掃することができ、階段という不安定な場所であっても安定して清掃器具を操作することができる。
また、階段の踏み板と蹴込みとがなす角度と、底プレート１０１と立プレート１０２とがなす角度を同一とすれば、さらに確実に踏み板の表面と蹴込みの表面とを同時に清掃することができる。
【００５６】
なお、本実施形態では、蹴込みの表面に蒸気を噴射するための蒸気噴射ノズル１１８を左右方向一端に付設したが、例えば図９にあるように、蒸気噴射ノズル１１８を鉛直方向上側から蒸気を噴射するように形成してもよい。図９においては、蒸気噴射ノズルは支柱１１８ａによって底プレート１０１に設置されているが、支柱１１８ａは立プレート１０２よりも高く、且つ、立プレート１０２を超えるように配設されている。したがって、蒸気噴射ノズル１１８は立プレート１０２の鉛直方向上側から蒸気を噴射することができる構成になっている。
【００５７】
この構成によれば、一度ダスター１０７と蹴込みの表面とを離して蒸気噴射ノズル１１８から蹴込みの表面に蒸気を噴射し、その後ダスター１０７で蹴込みの表面を拭くことで清掃を行うことができる。その際、階段の踏面の先端にあるノンスリップ、即ち、滑り止め部分にも同時に蒸気の噴射を行うことが可能となり、このノンスリップをより確実に清掃することができる。
【００５８】
［第５実施形態］
次に、本発明の第５実施形態について説明する。
図１０は、本発明の第５実施形態としての清掃器具を表す概要図である。
本発明の第５実施形態としての清掃器具は、その基本構成は第３実施形態としての清掃器具と共通しており、第１の清掃対象面と、第１の清掃対象面に対し角度を有する第２の清掃対象面とに蒸気を噴射しながら第１及び第２の清掃対象面を同時に清掃できるよう構成されている。特に本実施形態の清掃器具では、第３実施形態の清掃器具に、台車１２４の代わりに自走車１２５のボディ１２６が支持体として設けられ、したがってダスターホルダー１０４がボディ１２６に取り付けられ、更にボディ１２６にボイラ１２３が搭載された構成となっている。自走車１２５はボディ１２６の内部に図示しないエンジンやモータ等（以下、エンジン等という）を備え、このエンジン等がタイヤ１２７に動力を与え自走車１２５が自走するようになっている。また、自走車１２５の上部には使用者が座るための座席１２８、使用者が自走車１２５を操縦するためのハンドル１２９、及びエンジン等の起動や停止を制御するコントローラ１３０が設置されている。
【００５９】
本発明の第５実施形態としての清掃器具は上述のように形成されているので、清掃時には、蒸気噴射ノズル１１７から第１の清掃対象面に蒸気を噴射しながら、且つ、蒸気噴射ノズル１１８から第２の清掃対象面に蒸気を噴射しながら清掃を行うことができる。このとき、ボイラ１２３が自走車１２５のボディ１２６に搭載されているため、ボイラ１２３がダスターホルダー１０４とともに移動することができるので、清掃器具を容易に移動させることができ、特に広範囲の清掃を行う場合の労力を低減することが可能となる。
また、ダスターホルダー１０４を自走車１２５のボディ１２６に対して上下方向や左右方向へ移動させる機構を設けて、使用者がダスターホルダー１０４の位置を遠隔操作できるようにしてもよい。
【００６０】
［その他］
以上、本発明の実施形態を５例説明したが、本発明はかかる実施形態に限定されるものではなく、本発明の趣旨を逸脱しない範囲で各実施形態のものを種々変形したり、適宜組み合わせたりして実施することができる。
例えば、上記の各実施形態において、ダスターの代わりに、モップ糸等の通常清掃器具において汚れや埃を除去するために使用される繊維や織物を用いてもよい。
また、第２実施形態、第３実施形態、第４実施形態又は第５実施形態の各清掃器具において、それぞれダスターを面ファスナを用いてダスターホルダーに取り付けても良く、また、負圧を用いてダスターをダスターホルダーに取り付けても良い。
また、第２実施形態、第３実施形態、第４実施形態又は第５実施形態の各清掃器具において、それぞれ立プレートが底プレートに対して角度方向に可動となるようにしても良い。さらに、各実施形態の清掃器具それぞれに角度調整手段を設けてもよく、弾性支持体を設けてもよい。
また、第１実施形態の清掃器具において、蒸気噴射ノズルを設置して、第１及び第２の各清掃対象面に蒸気を噴射できるように構成しても良い。
また、第１実施形態、第２実施形態又は第４実施形態の各清掃器具において、それぞれ支持体としてキャスター付きの台車を用いても良い。
また、第１実施形態、第２実施形態、第３実施形態又は第５実施形態の各清掃器具において、立プレートを底プレートの前端部に設置しても良い。
また、第３実施形態、第４実施形態又は第５実施形態の各清掃器具において、蒸気噴射ノズルが蒸気を噴射する位置を調整可能に構成しても良い。
また、第１〜第５実施形態の各清掃器具は、それぞれ床面と幅木の表面とを清掃したり、階段の踏み板の表面と蹴込みの表面とを清掃するだけでなく、他の様々な場所の清掃を行うことができる。
【発明の効果】
以上のように、請求項１記載の本発明の清掃器具によれば、異なる角度を有する２つのダスター支持部によって、異なる角度を有する２つの清掃対象面それぞれを同時に清掃することが可能となる。
また、請求項２記載の本発明の清掃器具によれば、第１の清掃対象面を水平面とし、ダスターホルダーの自重により第１のダスター支持部を第１の清掃対象面に接触させるので、第１の清掃対象面を確実に清掃することができる。
また、請求項３記載の本発明の清掃器具によれば、第１のダスター支持部と第２のダスター支持部とのなす角を直角とするので、第１の清掃対象面が第２の清掃対象面に対して垂直となっている場合に、確実に第１及び第２の清掃対象面を清掃することができる。
また、請求項４記載の本発明の清掃器具によれば、第２のダスター支持部を第１のダスター支持部に対する角度方向に可動に設けるので、使用時の自由度を高めることができる。
また、請求項５記載の本発明の清掃器具によれば、第２のダスター支持部が第１のダスター支持部と同一平面上に位置する面一状態と、第２のダスター支持部が第１のダスター支持部と角度を有するように起立した起立状態とをとりうるようにするので、第１の清掃対象面又は第２の清掃対象面のいずれか１方のみを清掃する場合には、ダスターホルダーを面一状態として、効率よく清掃を行うことができる。
また、請求項６記載の本発明の清掃器具によれば、第１のダスター支持部と第２のダスター支持部とがなす角度を調整する角度調整手段を備えることにより、第１の清掃対象面と第２の清掃対象面とがなす角度が異なる様々な場合において各清掃対象面を確実に清掃することができる。
また、請求項７記載の本発明の清掃器具によれば、弾性支持体によって、起立時に第２のダスター支持部に支持されるダスターが第２の清掃対象面に対して弾性的に押圧されるので、第２の清掃対象面が完全な平面でなく凹凸がある面である場合でも、第２の清掃対象面を確実に清掃することができる。
また、請求項８又は請求項９記載の本発明の清掃器具によれば、第２のダスター支持部を第１のダスター支持部の適切な位置に配設し、第１及び第２の清掃対象面を適切に清掃することができる。
また、請求項１０記載の本発明の清掃器具によれば、第２のダスター支持部が伸縮自在であるので、様々な大きさの第２の清掃対象面を適切に清掃することができる。
また、請求項１１記載の本発明の清掃器具によれば、蒸気を各清掃対象面それぞれに噴射することができ、確実に第１及び第２の清掃対象面を清掃することができる。
また、請求項１２記載の本発明の清掃器具によれば、蒸気噴射ノズルを着脱することができるので、清掃時に蒸気を噴射する必要がない場合に蒸気噴射ノズルを取り外して清掃を行うことができ、操作性を向上させることができる。
また、請求項１３記載の本発明の清掃器具によれば、蒸気を進行方向前方に噴射できるので、清掃を確実に行うことができる。
また、請求項１４記載の本発明の清掃器具によれば、蒸気発生器を支持体で容易に運搬することができるので、蒸気発生器を運搬する労力を低減させることができ、清掃器具の操作性を向上させることができる。
また、請求項１５記載の本発明の清掃器具によれば、第１，第２の清掃対象面の蒸気が当たる箇所の位置を調整できるので、第１，第２の清掃対象面を確実に清掃することができる。
また、請求項１６記載の本発明の清掃器具によれば、家屋などの床面と幅木の表面とを確実に清掃することができる。
また、請求項１７記載の本発明の清掃器具によれば、階段の踏み板の表面と蹴込みの表面とを、確実に清掃することができる。
【図面の簡単な説明】
【図１】本発明の第１実施形態としての清掃器具を表す模式的な斜視図である。
【図２】本発明の清掃器具を構成するダスターを示す概要図である。
【図３】本発明の第１実施形態としての清掃器具の要部を拡大して示す要部拡大斜視図である。
【図４】本発明の第１実施形態としての清掃器具の使用状態を示す模式的な斜視図である。
【図５】本発明の第１実施形態の変形例を説明する模式的な斜視図である。
【図６】本発明の第２実施形態としての清掃器具を表す模式的な斜視図である。
【図７】本発明の第３実施形態としての清掃器具を表す模式的な斜視図である。
【図８】本発明の第４実施形態としての清掃器具を表す模式的な斜視図である。
【図９】本発明の第４実施形態の変形例を示す模式的な斜視図である。
【図１０】本発明の第５実施形態としての清掃器具を表す模式的な斜視図である。
【符号の説明】
１０１  底プレート（第１のダスター支持部）
１０２  立プレート（第２のダスター支持部）
１０３  蝶番
１０４  ダスターホルダー
１０５  柄（支持体）
１０５ａ  （柄の）貫通穴
１０６  柄取付ブラケット
１０６ａ  （柄取付ブラケットの）柱部
１０７  ダスター
１０８  ステー
１０９  ステー取付ブラケット
１０９ａ  ゴムブッシュ
１０９ｂ  ピン
１１０  係止ピッチ部
１１１  ストッパー
１１１ａ  （ストッパーの）係止溝
１１２  ネット
１１３  （柄取付ブラケットに設けられた）軸
１１４  床面（第１の清掃対象面）
１１５  幅木の表面（第２の清掃対象面）
１１６ａ  （ダスターホルダー側の）面ファスナ
１１６ｂ  （ダスター側の）面ファスナ
１１７，１１８  蒸気噴射ノズル
１１７ａ，１１８ａ  蒸気噴射口
１１７ｂ，１１８ｂ  （蒸気噴射ノズルの）支柱
１１８ｃ  バルブ
１１９  下部立プレート
１１９ａ  （下部立プレートに形成された）ネジ穴
１２０  上部立プレート
１２０ａ  （上部立プレート）長ねじ穴
１２１  ネジ
１２２  ホース
１２２ａ  分岐部
１２３  ボイラ
１２４  台車（支持体）
１２５  自走車（支持体）
１２６  （自走車の）ボディ
１２７  （自走車の）車輪
１２８  （自走車の）座席
１２９  （自走車の）ハンドル
１３０  （自走車の）コントローラ
【図１】
2004201716.tif 000003
【図２】
2004201716.tif 000004
【図３】
2004201716.tif 000005
【図４】
2004201716.tif 000006
【図５】
2004201716.tif 000007
【図６】
2004201716.tif 000008
【図７】
2004201716.tif 000009
【図８】
2004201716.tif 000010
【図９】
2004201716.tif 000011
【図１０】
2004201716.tif 000012